(57)【特許請求の範囲】
【請求項１】
直線形状の支持材若しくは略同一平面に沿うように折り曲げられた形状の支持材と、前記支持材をコンクリート打設予定面から離れた状態で保持するため前記支持材に所定間隔ごとに固定された複数のモルタル製のブロック体と、を備え、前記ブロック体が、前記支持材の外周から前記コンクリート打設予定面に向かって突出した支持部を有し、前記支持材と前記ブロック体とが一体構造をなし、前記ブロック体の支持部の突出方向と１８０度反対側に位置する前記支持材の外周面の一部が、前記ブロック体から露出していることを特徴とする配筋用スペーサ。
【請求項２】
前記支持部が前記コンクリート打設予定面に向かって尖った円錐形状、角錐形状若しくは楔形状であることを特徴とする請求項１記載の配筋用スペーサ。
【請求項３】
前記支持材の少なくとも外周面が防錆機能を有することを特徴とする請求項１または２記載の配筋用スペーサ。
【発明の詳細な説明】
【技術分野】
【０００１】
本発明は、鉄筋コンクリート構造物の施工時の鉄筋材の配設作業において使用される配筋用スペーサに関する。
【背景技術】
【０００２】
鉄筋コンクリート構造物を施工する場合、図８に示すように、コンクリート中に配置される鉄筋材である段取り筋８１及び主筋８２と、基準面であるスラブ下型枠８３の内面８３ａなどとの間隔を一定に保持するための部材として、例えば、直方体ブロック形状をしたスペーサー８０が使用されていた。しかしながら、スペーサー８０は、その上に載置される段取り筋８１を安定的に保持できないので、配設後に位置がズレ易いという問題があった。そこで、鉄筋材を安定保持するための係止手段を備えたスペーサーが提案されている（例えば、特許文献１，２参照。）。
【０００３】
特許文献１記載の「配筋用スペーサーブロック」は、円錐台形状をしたセラミック製のスペーサー本体部に、弾性を有する金属板製の鉄筋挟持部の足片を埋設させて一体化したものである。特許文献２記載の「鉄筋コンクリート施工用スペーサー」は、上面に鉄筋載置用凹溝を有する台状のモルタル製のスペーサーである。これらのスペーサは、段取り筋となる鉄筋材に対して手作業で設置されている。
【先行技術文献】
【特許文献】
【０００４】
【特許文献１】特開２００６−１６１２９６号公報
【特許文献２】特開平６−１９３１９９号公報
【発明の概要】
【発明が解決しようとする課題】
【０００５】
従来の合成樹脂製のスペーサは、段取筋などの鉄筋材にセッティングした後に他の物体が触れたときに破損することがあるため、適正なかぶり厚を確保することができないことがあり、また、コンクリートとの密着性が良くないので、固化後のコンクリートと当該スペーサとの間に生じる隙間を経由して鉄筋コンクリート中に水が浸入することがある。鉄筋コンクリート中に水が浸入すると、鉄筋材が腐食して膨張するので、鉄筋コンクリートに亀裂が生じることがある。
【０００６】
また、特許文献１記載の「配筋用スペーサーブロック」は、弾性を有する鉄筋挟持部で鉄筋材を挟持する方式であるため、鉄筋材に取り付け後にスペーサーの位置がズレ難い点では優れているが、鉄筋挟持部を鉄筋材に嵌合させるときに押圧力を必要とするため、施工性が悪く、また、複数種類の材料で形成されているので、コスト的にも高価となる。
【０００７】
一方、特許文献２記載の「鉄筋コンクリート施工用スペーサー」は、当該スペーサー上に鉄筋材を載置する方式なので、セッティング後に外力が加わるとスペーサーの位置がズレたり、鉄筋材からスペーサーが外れたりする。
【０００８】
さらに、特許文献１記載の「配筋用スペーサーブロック」は、鉄筋コンクリート製品の製造工程あるいは鉄筋コンクリート構造物の施工現場において１個ずつ鉄筋材に係合させなければならず、また、特許文献２記載の「鉄筋コンクリート施工用スペーサー」は、施工現場において、１個ずつ特定の位置に配置しなければならないので、これらの作業に多大な時間と労力が必要である。
【０００９】
本発明が解決しようとする課題は、コンクリート打設予定面に配置した後の位置ズレが生じにくくなり、鉄筋材を容易、迅速かつ正確に配置することができ、施工性が良好で、適正なかぶり厚を確保することができ、コンクリートとの一体性に優れた配筋用スペーサを提供することにある。
【課題を解決するための手段】
【００１０】
本発明の配筋用スペーサは、直線形状の支持材若しくは略同一平面に沿うように折り曲げられた形状の支持材と、前記支持材をコンクリート打設予定面から離れた状態で保持するため前記支持材に所定間隔ごとに固定された複数のモルタル製のブロック体と、を備え、前記ブロック体が、前記支持材の外周から前記コンクリート打設予定面に向かって突出した支持部を有し、前記支持材と前記ブロック体とが一体構造をなし、前記ブロック体の支持部の突出方向と１８０度反対側に位置する前記支持材の外周面の一部が、前記ブロック体から露出していることを特徴とする。
【００１１】
このような構成とすれば、支持材と一体化している複数のブロック体の支持部をそれぞれコンクリート打設予定面に接触させた状態で、本発明の配筋用スペーサをコンクリート打設予定面に沿ってセットするだけで、当該配筋用スペーサを構成する支持材がコンクリート打設予定面から離れた状態で保持された状態となるため、この後に行われる主筋の配筋作業を容易、迅速かつ正確に行い、適正なかぶり厚を確保することができる。また、本発明の配筋用スペーサは、支持材と複数のブロック体とが一体化した構造であるため、配置後の位置ズレが生じにくく、ブロック体はモルタル製であるため、コンクリートとの一体性に優れている。
【００１２】
また、本発明の配筋用スペーサにおいては、前記ブロック体の支持部の突出方向と１８０度反対側に位置する前記支持材の外周面の一部が、前記ブロック体から露出している。このような構成とすれば、コンクリート打設予定面に沿ってセットされた当該配筋用スペーサの支持材上に主筋を載置したとき、その位置がブロック体の直上であるか否かに左右されることなく、主筋は支持材の外周面に接触した状態で載置されるため、コンクリート打設予定面から主筋までの高さ（かぶり厚）を常に一定に保つことができる。
【００１３】
また、前記支持部が前記コンクリート打設予定面に向かって尖った円錐形状、角錐形状若しくは楔形状であることが望ましい。このような構成とすれば、コンクリート打設予定面に対するブロック体の支持部の接地面積を小さくすることができるので、前記コンクリート打設予定面が露出面となる鉄筋コンクリート構造物を形成する場合、前記露出面におけるブロック体の支持部の出現を抑制することができる。
【００１４】
さらに、前記支持材の少なくとも外周面が防錆機能を有することが望ましい。ここで、「支持材の少なくとも外周面が防錆機能を有する」とは、支持材全体をステンレス鋼などの耐食性材料で形成したことにより支持材全体が防錆機能を有すること、あるいは金属製支持材の外周面に防錆塗料を塗布したり、防錆コーティングを施したりしたことにより支持材の外周面が防錆機能を有することを意味する。
【００１５】
このような構成とすれば、本発明の配筋用スペーサを用いて形成された鉄筋コンクリート構造物内において当該配筋用スペーサを構成する支持材が腐食するのを防止することができるため、支持材の腐食に起因するトラブル（例えば、支持材の腐食膨張による鉄筋コンクリートの亀裂発生など）を回避することができる。
【発明の効果】
【００１６】
本発明により、コンクリート打設予定面に配置した後の位置ズレが生じにくくなり、主筋の配筋作業を容易、迅速且つ正確に行い、適正なかぶり厚を確保することができ、施工性が良好であり、コンクリートとの一体性に優れた配筋用スペーサを提供することができる。
【図面の簡単な説明】
【００１７】
【図１】本発明の第１実施形態である配筋用スペーサを示す平面図である。
【図２】（ａ）は図１中の矢線Ａで示す部分の拡大図であり、（ｂ）は前記（ａ）中の矢線Ｖ方向から見た図であり、（ｃ）は前記（ｂ）中の矢線Ｗ方向から見た図である。
【図３】図１に示す配筋用スペーサの使用状態を示す概略図である。
【図４】本発明の第２実施形態である配筋用スペーサを示す平面図である。
【図５】本発明の第３実施形態である配筋用スペーサを示す平面図である。
【図６】本発明の第４実施形態である配筋用スペーサを示す平面図である。
【図７】（ａ）は図６中の矢線Ｂで示す部分の拡大図であり、（ｂ）は前記（ａ）中の矢線Ｘ方向から見た図であり、（ｃ）は前記（ｂ）中の矢線Ｙ方向から見た図である。
【図８】従来の配筋用スペーサの使用状態を示す図である。
【発明を実施するための形態】
【００１８】
図１〜図３に基づいて配筋用スペーサ１０について説明する。図１，図２に示すように、配筋用スペーサ１０は、直線形状の支持材１１と、支持材１１をそのコンクリート打設予定面Ｆ１から一定間隔だけ離れた状態で保持するため支持材１１に所定間隔ごとに固定された複数のモルタル製のブロック体１２と、を備え、ブロック体１２が、支持材１１の外周からコンクリート打設予定面Ｆ１に向かって突出した支持部１２ａを有している。支持部１２ａはコンクリート打設予定面Ｆ１に向かって尖った楔形状をなしており、支持部１２ａの突出方向の１８０度反対側に設けられた溝部１２ｂ内に支持材１１が挟持された状態で固定されている。
【００１９】
図２に示すように、支持材１１とブロック体１２との固定部分においては、ブロック体１２の支持部１２ａの突出方向と１８０度反対側に位置する支持材１１の外周面の一部１１ａが、ブロック体１２の溝部１２ｂから露出した状態で固定されている。また、支持材１１の外周面には防錆塗料（図示せず）が塗布されている。
【００２０】
配筋用スペーサ１０を使用する場合、図３に示すように、支持材１１と一体構造をなす複数のブロック体１２の支持部１２ａをそれぞれコンクリート打設予定面Ｆ１に接触させた状態で、配筋用スペーサ１０をコンクリート打設予定面Ｆ１に沿って載置するだけで、当該配筋用スペーサ１０を構成する支持材１１がコンクリート打設予定面Ｆ１から一定間隔だけ離れた状態で保持される。
【００２１】
図３に示すように、配筋用スペーサ１０をコンクリート打設予定面Ｆ１に沿って載置することにより、図８に示す従来のスペーサー８０を使用したときの段取り筋８１に相当する支持材１１の配置まで完了することになり、配筋用スペーサ１０をセットした後に、ブロック体１２や支持材１１の位置ズレも生じ難い。従って、図３に示すように、配筋用スペーサ１０をセットした後に行われる主筋１３，配力筋１４及び縦筋１５の配筋作業を容易、迅速かつ正確に行うことができ、施工性も良好であり、また、コンクリート打設の際に、内部のかぶり厚Ｘを確保することができる。
【００２２】
なお、配筋用スペーサ１０をコンクリート打設予定面Ｆ１に沿って配置した後は、主筋１３，配力筋１４及び縦筋１５を従来と同様の手順で配筋することができる。配筋用スペーサ１０は、支持材１１と複数のブロック体１２とが一体化した構造であるため、配置後の位置ズレが生じにくく、また、ブロック体１２はモルタル製であるため、コンクリートとの一体性に優れている。
【００２３】
さらに、ブロック体１２の支持部１２ａを、コンクリート打設予定面Ｆ１に向かって尖った楔形状としたことにより、コンクリート打設予定面Ｆ１に対する、ブロック体１２の支持部２３ａの接地部分は略直線状となり、接地面積を小さくすることができるので、コンクリート打設予定面Ｆ１が露出面となる鉄筋コンクリート構造物を形成する場合、前記露出面におけるブロック体１２の支持部１２ａの出現を抑制すること（目立たなくすること）ができる。
【００２４】
また、図２に示すように、支持材１１に固定された複数のブロック体１２の支持部１２ａの稜線１２ｃは全て支持材１１の長手方向と直交する方向に配置されているため、各支持部１２ａを下にしてコンクリート打設予定面Ｆ１上に載置された配筋用スペーサ１０は他の支持手段無しで自立状態を保つことができる。
【００２５】
さらに、図２に示すように、支持材１１とブロック体１２との固定部分において、支持材１１の外周面の一部１１ａが、ブロック体１２の溝部１２ｂから露出した状態で固定されている。従って、図３に示すように、コンクリート打設予定面Ｆ１に沿ってセットされた配筋用スペーサ１０の支持材１１上に主筋１３を載置したとき、その位置がブロック体１２の直上であるか否かに左右されることなく、主筋１３は支持材１１の外周面に接触した状態で載置されるので、コンクリート打設予定面Ｆ１から主筋１３までの高さ（かぶり厚）を常に一定に保つことができる。
【００２６】
一方、配筋用スペーサ１０を構成する支持材１１の外周面には防錆塗料（図示せず）が塗布されているため、配筋用スペーサ１０を用いて形成された鉄筋コンクリート構造物内における支持材１１の発錆が生じなくなる結果、支持材１１の発錆、腐食に起因するトラブルを回避することができる。
【００２７】
次に、図４に示す配筋用スペーサ２０は、略コ字形状に折り曲げられた支持材２１と、支持材２１の長手方向に沿って所定間隔ごとに固定された複数のモルタル製のブロック体１２と、を備えている。また、図５に示す配筋用スペーサ３０は、略ロ字形状に曲げられた支持材３１と、支持材３１の長手方向に沿って所定間隔ごとに固定された複数のモルタル製のブロック体１２と、を備え、支持材３１の両端部を繋ぐような状態でブロック体３２が支持材３１に固定されている。
【００２８】
配筋用スペーサ２０，３０を構成するそれぞれの支持材２１，３１は何れも略同一平面に沿う形状である略コ字形状、略ロ字形状をなしているため、配筋用スペーサ２０，３０をコンクリート打設予定面（図示せず）に載置するだけで、支持材２１，３１をコンクリート打設予定面から一定間隔だけ離れた状態で保持することができる。
【００２９】
従って、段取り筋である支持材２１，３１を迅速かつ正確に配置することができ、この後のコンクリート打設の際に、鉄筋のかぶり厚を確保することができる。また、配筋用スペーサ２０，３０は平面方向の広がりを有する形状であるため、配筋作業の効率化に有効である。その他の部分の構造、機能は前述した配筋用スペーサ１０と同様である。
【００３０】
次に、図６に示す配筋用スペーサ４０は、略コ字形状に折り曲げられた支持材４１と、支持材４１の長手方向に沿って所定間隔ごとに固定された複数のモルタル製のブロック体４２と、を備えている。図７に示すように、ブロック体４２は、支持材４１の外周からコンクリート打設予定面Ｆ２に向かって突出した支持部４２ａを有している。
【００３１】
図７に示すように、ブロック体４２の支持部４２ａはコンクリート打設予定面Ｆ２に向かって尖った円錐形状をなしており、支持部４２ａの反対側に設けられた溝部４２ｂ内に支持材４１が挟持された状態で固定されている。また、支持材４１とブロック体４２との固定部分においては、支持材４１の外周面の一部４１ａがブロック体４２の溝部４２ｂから露出した状態で固定されている。
【００３２】
図６に示す配筋用スペーサ４０を構成する支持材４１は略同一平面に沿う形状である略コ字形状をなしているため、複数のブロック体４２は略同一平面上に配置された状態となっている。従って、各ブロック体４２の支持部４２ａの突端４２ｃがコンクリート打設予定面Ｆ２に点接触した状態であっても、前述した配筋用スペーサ１０，２０，３０が自立可能であったのと同様、配筋用スペーサ４０は自立状態に保たれる。
【００３３】
また、ブロック体４２の支持部４２ａが、コンクリート打設予定面Ｆ２に向かって尖った円錐形状としたことにより、支持部４２ａの突端４２ｃとコンクリート打設予定面Ｆ２の接地部分は略点状となり、接地面積を小さくすることができるので、コンクリート打設予定面Ｆ２が露出面となる鉄筋コンクリート構造物を形成する場合、前記露出面におけるブロック体４２の支持部４２ａの出現を抑制すること（目立たなくすること）ができる。その他の部分の構造、機能は前述した配筋用スペーサ１０，２０，３０と同様である。
【産業上の利用可能性】
【００３４】
本発明の配筋用スペーサは、各種鉄筋コンクリート構造体の製造現場あるいは各種鉄筋コンクリート構築物の施工現場などにおいて広く利用することができる。
【符号の説明】
【００３５】
１０，２０，３０，４０  配筋用スペーサ
１１，２１，３１，４１  支持材
１１ａ，４１ａ  外周面の一部
１２，３２，４２  ブロック体
１２ａ，４２ａ  支持部
１２ｂ，４２ｂ  溝部
１２ｃ  稜線
４２ｃ  突端
Ｆ１，Ｆ２  コンクリート打設予定面
Ｘ  かぶり厚
【図１】
0005535710.tif 000002
【図２】
0005535710.tif 000003
【図３】
0005535710.tif 000004
【図４】
0005535710.tif 000005
【図５】
0005535710.tif 000006
【図６】
0005535710.tif 000007
【図７】
0005535710.tif 000008
【図８】
0005535710.tif 000009